【事件の表示】
　特願２０１４−５２８１７５「固体電解コンデンサ及びその製造方法」拒絶査定不服審判事件〔平成２６年　２月　６日国際公開、ＷＯ２０１４／０２１３３３、請求項の数（４）〕について、次のとおり審決する。
【結　論】
　原査定を取り消す。
　本願の発明は、特許すべきものとする。
【理　由】
第１　手続の経緯　
　本願は、２０１３年（平成２５年）７月３０日（優先権主張　平成２４年７月３１日）を国際出願日とする出願であって、平成２９年４月２７日付けで拒絶理由通知がなされ、平成２９年７月１０日付けで手続補正がなされ、平成２９年１１月１５日付けで拒絶理由通知がなされ、平成３０年４月３日付けで手続補正がなされ、平成３０年６月２０日付けで平成３０年４月３日付けの手続補正が却下されるとともに拒絶査定（原査定）がなされ、これに対し、平成３０年９月２６日に拒絶査定不服審判の請求がなされたものである。 
第２　本願発明
　本願請求項１ないし４に係る発明（以下、それぞれ「本願発明１」ないし「本願発明４」という。）は、平成３０年４月３日付けの手続補正は却下されているので、平成２９年７月１０日付けの手続補正で補正された特許請求の範囲の請求項１−４に記載された事項により特定される以下のとおりの発明である。
「【請求項１】
　陽極電極箔と陰極電極箔とをセパレータを介して巻回したコンデンサ素子に、導電性ポリマーの粒子または粉末と溶媒とを含む分散体を含浸させて導電性ポリマーからなる固体電解質層を形成するとともに、該固体電解質層が形成されたコンデンサ素子内の空隙部に、エチレングリコール及びγ−ブチロラクトンを含む混合溶媒と、有機酸、無機酸、及び有機酸と無機酸との複合化合物の少なくとも１種のアンモニウム塩、四級アンモニウム塩、四級化アミジニウム塩、及びアミン塩から選ばれる溶質と、を含むイオン伝導性物質を充填させた固体電解コンデンサであって、前記エチレングリコールは、混合溶媒に対して１０〜６０ｗｔ％添加し、前記γ−ブチロラクトンは、混合溶媒に対して４０ｗｔ％以下添加したことを特徴とする固体電解コンデンサ。
　【請求項２】
　前記イオン伝導性物質の混合溶媒に、更にスルホラン、３−メチルスルホラン、２，４−ジメチルスルホランから選ばれる少なくとも１種の溶媒を含むイオン伝導性物質を充填させたことを特徴とする請求項１に記載の固体電解コンデンサ。
　【請求項３】
　前記分散体の溶媒がエチレングリコールを含むことを特徴とする請求項１又は２に記載の固体電解コンデンサ。
　【請求項４】
　陽極電極箔と陰極電極箔とをセパレータを介して巻回したコンデンサ素子に、導電性ポリマーの粒子または粉末と溶媒とを含む分散体を含浸させて導電性ポリマーからなる固体電解質層を形成する工程と、該固体電解質層が形成されたコンデンサ素子内の空隙部に、混合溶媒に対して１０〜６０ｗｔ％のエチレングリコール及び混合溶媒に対して４０ｗｔ％以下のγ−ブチロラクトンを含む混合溶媒と、有機酸、無機酸、及び有機酸と無機酸との複合化合物の少なくとも１種のアンモニウム塩、四級アンモニウム塩、四級化アミジニウム塩、及びアミン塩から選ばれる溶質と、を含むイオン伝導性物質を充填させる工程と、を有することを特徴とする固体電解コンデンサの製造方法。」
第３　原査定の概要
　原査定（平成３０年６月２０日付け拒絶査定）の概要は次のとおりである。
　平成２９年７月１０日付けの本願請求項１、２及び４に係る発明は、引用文献１、２及び４に基づいて、当業者が容易に発明できたものであり、また、本願請求項３に係る発明は、引用文献１、２、４及び５に基づいて、当業者が容易に発明できたものであるから、本願請求項１ないし４に係る発明は、特許法第２９条第２項の規定により特許を受けることができない。
　なお、引用文献に付した番号１、２、４、５は、審判請求書で付与された番号に揃えたものである。
引用文献等一覧
１.特開２００８−６６５０２号公報
２.特開２００１−１８５４５８号公報
４.特開２００３−１０９８８０号公報
５.特開２０１２−１２４２３９号公報
第４　引用文献、引用発明等
１．引用文献１について
　原査定の拒絶の理由に引用された上記引用文献１には、「電解コンデンサ」に関して、図面とともに次の事項が記載されている。なお、下線は当審で付与したものである。
ア．「【００１０】
　一方、
導電性高分子からなる固体電解質
イ．「【課題を解決するための手段】
【００１３】
　前記課題を解決するために本発明は、
誘電体酸化皮膜が形成された陽極箔と表面拡大化処理された陰極箔とをセパレータを介して巻回することにより構成されたコンデンサ素子と、このコンデンサ素子に含浸された駆動用電解液と、前記コンデンサ素子を収納した有底の外装ケースと、この外装ケースの開口部を封口した封口材とを備え、前記セパレータの繊維表面に導電性高分子微粒子が付着し、かつセパレータの繊維間に導電性高分子微粒子が充填され、さらに陽極箔及び陰極箔の表面にも導電性高分子微粒子が付着したことを特徴とする電解コンデンサとするものである
【００１４】
　また、
本発明の電解コンデンサの製造方法は、誘電体酸化皮膜を形成した陽極箔と表面拡大化処理された陰極箔とをセパレータを介在させて巻回することによりコンデンサ素子を形成し、このコンデンサ素子に駆動用電解液を含浸させた後有底の外装ケースに収納し、この外装ケースの開口部を封口材で封口する電解コンデンサの製造方法において、前記駆動用電解液を含浸させる前に、コンデンサ素子を導電性高分子微粒子の分散液に浸漬し、その後乾燥させて導電性高分子微粒子をセパレータの繊維表面に付着させるとともにセパレータの繊維間にも充填させ、さらに陽極箔及び陰極箔の表面にも導電性高分子微粒子を付着させる
ウ．「【００１９】
　また、駆動用電解液にアミジン塩を電解質として使用することにより、長時間の高温試験後でもコンデンサ内部にアミジン塩が残留するため、酸化皮膜の修復性は維持される。これにより、長期の高温試験後でもショートが発生せず信頼性が高いコンデンサが得られる。また、
駆動用電解液に酸成分が塩基成分より多く存在する
エ．「【００３０】
　また、
前記導電性高分子微粒子は、その微粒子を分散させた分散液を用いてセパレータ３に付着・充填させる。この分散液の溶剤としては、水や低級アルコールなどの低粘度の溶剤が好ましい。
オ．「【００３３】
　
前記駆動用電解液の溶媒として、・・・（中略）・・・等を用いることができる。これらの中で、γ−ブチロラクトンやエチレングリコール、スルホランが熱的に安定
【００３４】
　また、
電解質成分の塩基成分としては、
第４級アンモニウム塩
第３級アミンなどもアルカリ性が低いため脱ドープ反応には効果的であり
【００３５】
　また
電解質の酸成分としては、脂肪族カルボン酸：（［飽和カルボン酸、例えばシュウ酸、マロン酸、コハク酸、グルタル酸、アジピン酸、ピメリン酸、スベリン酸、アゼライン酸、セバチン酸、１，６−デカンジカルボン酸、５，６−デカンジカルボン酸、ギ酸、酢酸、プロピオン酸、酪酸、イソ酪酸、吉草酸、カプロン酸、エナント酸、カプリル酸、ペラルゴン酸、ラウリル酸、ミリスチン酸、ステアリン酸、ベヘン酸］、［不飽和カルボン酸、例えばマレイン酸、フマル酸、イコタン酸、アクリル酸、メタクリル酸、オレイン酸］）、芳香族カルボン酸：（例えばフタル酸、サリチル酸、イソフタル酸、テレフタル酸、トリメリット酸、ピロメリット酸、安息香酸、レゾルシン酸、ケイ皮酸、ナフトエ酸）等で、これらの中で好ましいのは電導度が高く熱的にも安定な、フタル酸、トリメリット酸、ピロメリット酸、マレイン酸、サリチル酸、安息香酸、レゾルシン酸等の有機酸が好ましい
これらのカルボン酸以外にも・・・（中略）・・・、無機酸であるリン酸誘導体やホウ酸誘導体などを前記の塩基成分のモル数以上に加える
・段落【００１３】に記載された「・・・（中略）・・・陽極箔と・・・（中略）・・・陰極箔とをセパレータを介して巻回することにより構成されたコンデンサ素子と、このコンデンサ素子に含浸された駆動用電解液と、・・・（中略）・・・を備え、
前記セパレータの繊維表面に導電性高分子微粒子が付着し、かつセパレータの繊維間に導電性高分子微粒子が充填され、さらに陽極箔及び陰極箔の表面にも導電性高分子微粒子が付着した
　したがって、引用文献１には「陽極箔と陰極箔とをセパレータを介して巻回することにより構成されたコンデンサ素子と、このコンデンサ素子に含浸された駆動用電解液とを備え、前記駆動用電解液を含浸させる前に、コンデンサ素子を導電性高分子微粒子の分散液に浸漬し、その後乾燥させて導電性高分子微粒子をセパレータの繊維表面に付着させるとともにセパレータの繊維間にも充填させ、さらに陽極箔及び陰極箔の表面にも導電性高分子微粒子を付着させた電解コンデンサ」が記載されている。
・段落【００３０】によれば、導電性高分子微粒子の分散液は、導電性高分子微粒子のほかに溶剤を含んでいる。
・段落【００１０】によれば、引用文献１に記載された電解コンデンサにおいて導電性高分子は固体電解質を構成する。
・段落【００３３】によれば、引用文献１には、駆動用電解液の溶媒に、γ−ブチロラクトンやエチレングリコールを用いることが記載されている。
・段落【００１９】によれば、駆動用電解液は酸成分と塩基成分を有するものであり、段落【００３４】によれば、塩基成分としてアミンが用いられ、段落【００３５】によれば、酸成分として有機酸、又は無機酸であるリン酸誘導体やホウ酸誘導体が用いられる。
　上記摘示事項および図面を総合勘案すると、上記引用文献１には次の発明（以下「引用発明」という。）が記載されていると認められる。
「陽極箔と陰極箔とをセパレータを介して巻回することにより構成されたコンデンサ素子と、このコンデンサ素子に含浸された駆動用電解液とを備え、前記駆動用電解液を含浸させる前に、コンデンサ素子を導電性高分子微粒子と溶剤とを含む分散液に浸漬し、その後乾燥させて導電性高分子微粒子からなる固体電解質をセパレータの繊維表面に付着させるとともにセパレータの繊維間にも充填させ、さらに陽極箔及び陰極箔の表面にも導電性高分子微粒子からなる固体電解質を付着させた電解コンデンサであって、前記駆動用電解液は、溶媒としてγ−ブチロラクトンやエチレングリコール、酸成分として有機酸又は無機酸、塩基成分としてアミンが用いられる、電解コンデンサ。」
２．引用文献２について
　原査定の拒絶の理由に引用された上記引用文献２には、図面とともに次の事項が記載されている。なお、下線は当審で付与したものである。
ア．「【０００７】また本発明の
アルミニウム電解コンデンサは、駆動用電解液として、水を主溶媒とし、有機極性溶媒を副溶媒とする溶媒に、主溶質としてカルボン酸の塩を溶解し、さらにリン酸イソプロピル、ｐ−二トロベンジルアルコール、多価アルコール類を添加剤として添加してなるものを使用した
【０００８】
副溶媒として使用される有機極性溶媒としては、エチレングリコールが好ましいが、γーブチロラクトンなどのラクトン類や、グリセリンなどの他のグリコール類を単独でまたは混合して使用してもよい
イ．「【００１８】
【実施例】下記のような実施例１〜１１、比較例１〜９の駆動用電解液を作製した。なおリン酸イソプロピルは、リン酸モノイソプロピルとリン酸ジイソプロピルを混合したものを使用した。
　　　　　・・・（中略）・・・
【００２９】
　＜実施例１１＞
　　アジピン酸アンモニウム　　　　　１０．０重量％
　　アジピン酸　　　　　　　　　　　２．０重量％
　　マンニット　　　　　　　　　　　１．０重量％
　　ｐ−二トロベンジルアルコール　　　１．５重量％
　　リン酸イソプロピル　　　　　　　　２．０重量％
　　水　　　　　　　　　　　　　　４５．０重量％
　　
エチレングリコール　　　　　　　１８．５重量％
　　
γーブチロラクトン　　　　　　　２０．０重量％
　したがって、段落【０００７】、【０００８】、【００１８】及び【００２９】によれば、上記引用文献２には、「駆動用電解液において、水を主溶媒として、有機極性溶媒を副溶媒とし、副溶媒としてエチレングリコールにγーブチロラクトンを混合して使用するとともに、エチレングリコールは混合溶媒に対して２２．２重量％（＝１８．５／（４５．０＋１８．５＋２０．０））、γーブチロラクトンは混合溶媒に対して２４．０重量％（＝２０．０／（４５．０＋１８．５＋２０．０））添加する」技術的事項が記載されていると認められる。
３．引用文献３について
　平成３０年６月２０日付けの補正の却下の決定で引用された引用文献３（特開昭６１−１８２２１２号公報）には、図面とともに次の事項が記載されている。なお、「発明の概要」、「発明の効果」及び「発明の具体的説明」に対して付与された下線を除き、下線は当審で付与したものである。
「
発明の概要
　本発明者等は、上記問題点を解決する新規な電解液を見い出すべく、各種溶媒及び溶質の組合せた電解液につき鋭意検討を行い本発明を完成した。
　即ち、本発明は、
γ−ブチロラクトンとエチレングリコールとの混合溶媒にγ−レゾルシル酸アンモニウムを溶解したことを特徴とする電解コンデンサ用電解液
発明の効果
　本発明の電解コンデンサ用電解液は、広い温度範囲にわたって非常に低い比抵抗を示し、使用温度範囲の広い電解コンデンサ用電解液となる。
発明の具体的説明
　本発明の電解液は、溶媒としてγ−ブチロラクトンとエチレングリコールとの混合溶媒を、溶質としてγ−レゾルシル酸アンモニウムを使用する。
　溶媒として用いるγ−ブチロラクトンとエチレングリコールは、任意の割合で混合して用いることができるが、
γ−ブチロラクトンとエチレングリコールの混合割合が重量比で９０：１０〜１０：９０の範囲で用いるのが好ましく、８０：２０〜３０：７０の範囲が特に好ましい
　したがって、第２ページ左上欄第６行〜右上欄第７行によれば、上記引用文献３には、「γ−ブチロラクトンとエチレングリコールとの混合溶媒にγ−レゾルシル酸アンモニウムを溶解した電解コンデンサ用電解液において、γ−ブチロラクトンとエチレングリコールの混合割合が重量比で８０：２０〜３０：７０の範囲となるようにする」技術的事項が記載されている。
４．引用文献４について
　原査定の拒絶の理由に引用された上記引用文献４には、図面とともに次の事項が記載されている。なお、下線は当審で付与したものである。
「【００１１】そして、
以下のような駆動用電解液を用いる
【００１２】
本発明の電解液は、スルホランを含有するものであるが、この他に、プロトン性極性溶媒、非プロトン性溶媒、及びこれらの混合物を用いることができる
　　　・・・（中略）・・・
【００１７】ここで、
前記の電解液においてγ−ブチロラクトンとの混合溶媒を用い
γ−ブチロラクトンの混合溶媒中の含有率が６０％より小さい場合は寿命特性がさらに向上し、２０％より大きい場合は誘電損失、低温特性が向上するので、γ─ブチロラクトンの含有率は２０〜６０％が好ましい
【００１８】さらに
、このような電解液に溶媒としてエチレングリコールを加え
　したがって、段落【００１１】、【００１２】、【００１７】及び【００１８】によれば、上記引用文献４には、「駆動用電解液として、スルホランとγ−ブチロラクトンとの混合溶媒を用い、γ−ブチロラクトンの混合溶媒中の含有率が２０〜６０％であり、さらにエチレングリコールを加える」技術的事項が記載されている。
５．引用文献５について
　原査定の拒絶の理由に引用された上記引用文献５には、図面とともに次の事項が記載されている。なお、下線は当審で付与したものである。
ア．「【００１３】
　本発明者らは、上記課題を解決すべく鋭意研究を重ねた結果、
上記高分子スルホン酸をドーパントとする導電性高分子を含む分散液にコンデンサ素子を浸漬し
イ．「【００４４】
　上記のように、
導電性高分子を含む分散液中に高沸点溶剤を含有させておく
【００４５】
　
上記高沸点溶剤としては、沸点が１５０℃以上のものが好ましく、そのような高沸点溶剤の具体例としては、例えば、・・・（中略）・・・、エチレングリコール（沸点：１９８℃）、ジエチレングリコール（沸点：２４４℃）などが挙げられる
　したがって、段落【００１３】、【００４４】及び【００４５】によれば、上記引用文献５には、「コンデンサ素子を浸漬する分散液であって導電性高分子を含む分散液中に、高沸点溶剤としてエチレングリコールを含有させる」技術的事項が記載されている。
第５　当審の判断
１．本願発明１について
（１）対比
　本願発明１と引用発明とを対比すると、次のことがいえる。
ア．引用発明における「陽極箔」及び「陰極箔」は、それぞれ、本願発明１における「陽極電極箔」及び「陰極電極箔」に相当する。したがって、引用発明における「陽極箔と陰極箔とをセパレータを介して巻回することにより構成されたコンデンサ素子」は、本願発明１の「陽極電極箔と陰極電極箔とをセパレータを介して巻回したコンデンサ素子」に相当する。
イ．引用発明における「導電性高分子微粒子」、「溶剤」及び「分散液」は、それぞれ、本願発明１の「導電性ポリマーの粒子または粉末」、「溶媒」及び「分散体」に相当する。
　そして、引用発明は、「コンデンサ素子を導電性高分子微粒子と溶剤とを含む分散液に浸漬し、その後乾燥させて導電性高分子微粒子からなる固体電解質をセパレータの繊維表面に付着させるとともにセパレータの繊維間にも充填させ、さらに陽極箔及び陰極箔の表面にも導電性高分子微粒子からなる固体電解質を付着させた」ものであるから、本願発明１と同様に、「コンデンサ素子に、導電性ポリマーの粒子または粉末と溶媒とを含む分散体を含浸させて導電性ポリマーからなる固体電解質を形成」している。
ウ．引用発明の「駆動用電解液」は、酸成分と塩基成分を有していることから、本願発明１の「イオン伝導性物質」に相当する。
　そして、引用発明では、駆動用電解液を
含浸させる前に
付着させている
付着されたコンデンサ素子
含浸させている
　また、引用発明では、コンデンサ素子に駆動用電解液（イオン伝導性物質）が含浸されているから、駆動用電解液（イオン伝導性物質）がコンデンサ素子内の空隙部に充填されているのは自明である。
　したがって、引用発明と本願発明１とは、「該固体電解質が形成されたコンデンサ素子内の空隙部に」、「イオン伝導性物質を充填させた電解コンデンサ」である点で共通する。
エ．引用発明の駆動用電解液は、酸成分として有機酸又は無機酸、塩基成分としてアミンを用いているから、有機酸又は無機酸のアミン塩を溶質とするもの、すなわち、「有機酸、無機酸、及び有機酸と無機酸との複合化合物の少なくとも１種のアンモニウム塩、四級アンモニウム塩、四級化アミジニウム塩、及びアミン塩から選ばれる溶質」の一つを溶質とするものと認められる。また、引用発明の駆動用電解液の溶媒には、γ−ブチロラクトンやエチレングリコールが用いられている。
　したがって、引用発明の「駆動用電解液」と本願発明１の「イオン伝導性物質」とは、「エチレングリコールやγ−ブチロラクトンを含む溶媒と、有機酸、無機酸、及び有機酸と無機酸との複合化合物の少なくとも１種のアンモニウム塩、四級アンモニウム塩、四級化アミジニウム塩、及びアミン塩から選ばれる溶質と、を含む」点で共通する。
　ただし、イオン伝導性物質（駆動用電解液）の溶媒について、本願発明１では、エチレングリコール「及び」γ−ブチロラクトンを含む「混合」溶媒であり、さらに、「前記エチレングリコールは、混合溶媒に対して１０〜６０ｗｔ％添加し、前記γ−ブチロラクトンは、混合溶媒に対して４０ｗｔ％以下添加した」ものである旨特定されているのに対し、引用発明では、エチレングリールやγ−ブチロラクトンであることが特定されているものの、それらを「混合」されたものである旨特定されていない点で相違する。
　したがって、本願発明１と引用発明とは、
「陽極電極箔と陰極電極箔とをセパレータを介して巻回したコンデンサ素子に、導電性ポリマーの粒子または粉末と溶媒とを含む分散体を含浸させて導電性ポリマーからなる固体電解質を形成するとともに、該固体電解質が形成されたコンデンサ素子内の空隙部に、エチレングリコールやγ−ブチロラクトンを含む溶媒と、有機酸、無機酸、及び有機酸と無機酸との複合化合物の少なくとも１種のアンモニウム塩、四級アンモニウム塩、四級化アミジニウム塩、及びアミン塩から選ばれる溶質と、を含むイオン伝導性物質を充填させた電解コンデンサ。」
である点で一致し、次の点で相違する。
［相違点１］
　イオン伝導性物質の溶媒について、本願発明１では、エチレングリコール「及び」γ−ブチロラクトンを含む「混合」溶媒であり、さらに、「前記エチレングリコールは、混合溶媒に対して１０〜６０ｗｔ％添加し、前記γ−ブチロラクトンは、混合溶媒に対して４０ｗｔ％以下添加した」ものである旨特定されているのに対し、引用発明では、エチレングリコールやγ−ブチロラクトンであることが特定されているものの、それらが「混合」されたものである旨特定されていない点。
［相違点２］
　本願発明１では、固体電解質「層」が形成されていることが特定されているのに対し、引用発明では形成されている固体電解質が「層」になっていることが特定されていない点。
［相違点３］
　本願発明１では、「固体」電解コンデンサである旨特定されているのに対し、引用発明では、電解コンデンサである旨特定されている点。
（２）相違点についての判断
ア．相違点１について
ａ．引用発明と引用文献２に記載された技術的事項との組合せについて
　「第４　引用文献、引用発明等」の「２．引用文献２について」に記載のとおり、引用文献２には、駆動用電解液において、水を主溶媒として、有機極性溶媒を副溶媒とし、副溶媒としてエチレングリコールにγーブチロラクトンを混合して使用するとともに、エチレングリコールは混合溶媒に対して２２．２重量％（＝１８．５／（４５．０＋１８．５＋２０．０））、γーブチロラクトンは混合溶媒に対して２４．０重量％（＝２０．０／（４５．０＋１８．５＋２０．０））添加するという技術的事項が記載されている。
　しかしながら、引用発明は、
固体電解質を有し、且つ、水を駆動電解液の主溶媒とはしていない
固体電解質を有せず、且つ、水を駆動電解液の主溶媒とする
　さらに、本願明細書の段落【００２３】には、「エチレングリコールおよびγ−ブチロラクトンからなる混合溶媒を用いた場合、後述する実施例からも明らかな通り、エチレングリコールを含まない溶媒を用いた場合と比較して、初期のＥＳＲが低下するとともに、長時間の使用において静電容量の変化率（ΔＣａｐ）が小さいことが判明している。その理由は、エチレングリコールは、導電性ポリマーのポリマー鎖の伸張を促進する効果があるため、電導度が向上し、ＥＳＲが低下したと考えられる。また、γ−ブチロラクトンやスルホランよりも、エチレングリコールのようなヒドロキシル基を有するプロトン性溶媒のほうがセパレータや電極箔、導電性ポリマーとの親和性が高いため、電解コンデンサ使用時の電解質溶液が蒸散する過程において、セパレータや電極箔、導電性ポリマーと電解質溶液との間で電荷の受け渡しが行われやすく、ΔＣａｐが小さくなると考えられる。」と記載されている。また、本願明細書の表２、表３、表５には、固体電解質を有する電解コンデンサにおいて、イオン伝導性物質の溶媒としてγ−ブチロラクトンに加えてエチレングリコールが含まれることにより、電解コンデンサの特性が向上することが示されている。一方、引用文献２に記載された技術的事項は、固体電解質を有する電解コンデンサにおける駆動用電解液に関する技術的事項ではないから、仮に、引用発明において引用文献２に記載された駆動用電解液の溶媒を採用したとしても、固体電解質の存在を前提とした本願発明１が奏する上述のような効果は予測し得ない。
ｂ．引用発明と引用文献３に記載された技術的事項との組合せについて
　「第４　引用文献、引用発明等」の「３．引用文献３について」に記載のとおり、引用文献３には、γ−ブチロラクトンとエチレングリコールとの混合溶媒にγ−レゾルシル酸アンモニウムを溶解した電解コンデンサ用電解液において、γ−ブチロラクトンとエチレングリコールの混合割合が重量比で８０：２０〜３０：７０の範囲となるようにする技術的事項が記載されている。
　しかしながら、引用文献３に記載された技術的事項は、固体電解質を有する電解コンデンサにおける駆動用電解液に関する技術的事項ではないから、固体電解質を有する電解コンデンサである引用発明において、駆動用電解液の溶媒として、引用文献３に記載された電解コンデンサ用電解液の溶媒を採用する動機はなく、仮に、引用発明において引用文献３に記載された駆動用電解液の溶媒を採用したとしても、固体電解質の存在を前提とした本願発明１が奏する上述のような効果（「ａ．引用発明と引用文献２に記載された技術的事項との組合せについて」を参照。）は、当業者が予測し得たものではない。
ｃ．引用発明と引用文献４に記載された技術的事項との組合せについて
　「第４　引用文献、引用発明等」の「４．引用文献４について」に記載のとおり、引用文献４には、駆動用電解液として、スルホランとγ−ブチロラクトンとの混合溶媒を用い、γ−ブチロラクトンの混合溶媒中の含有率が２０〜６０％であり、さらにエチレングリコールを加える技術的事項が記載されている。
　しかしながら、引用文献４に記載された技術的事項は、固体電解質を有する電解コンデンサにおける駆動用電解液に関する技術的事項ではないから、固体電解質を有する電解コンデンサである引用発明において、駆動用電解液の溶媒として、引用文献４に記載された駆動用電解液の溶媒を採用する動機はない。また、引用文献４に記載された技術的事項は、エチレングリコールを混合溶媒に対して１０〜６０ｗｔ％添加することは特定されていないから、引用発明において、引用文献４に記載された駆動用電解液の溶媒を採用したとしても、エチレングリコールを混合溶媒に対して１０〜６０ｗｔ％添加する構成を有する上記相違点１に係る構成に想到することはできない。
　さらに、引用文献４に記載された技術的事項は、上述のとおり、固体電解質を有する電解コンデンサにおける駆動用電解液に関する技術的事項ではないから、仮に、引用発明において、引用文献４に記載された駆動用電解液の溶媒を採用したとしても、固体電解質の存在を前提とした本願発明１が奏する上述のような効果（「ａ．引用発明と引用文献２に記載された技術的事項との組合せについて」を参照。）は、当業者が予測し得たものではない。
ｄ．引用発明と引用文献５に記載された技術的事項との組合せについて
　「第４　引用文献、引用発明等」の「５．引用文献５について」に記載のとおり引用文献５には、コンデンサ素子を浸漬する分散液であって導電性高分子を含む分散液中に、高沸点溶剤としてエチレングリコールを含有させる技術的事項が記載されているが、引用文献５は、駆動用電解液又はイオン伝導性得物質の溶媒について記載されたものではなく、上記相違点１に係る構成とすることは記載されていない。
　したがって、引用発明に対して引用文献５に記載された技術的事項を組み合わせることによって上記相違点１に係る構成に想到することはできない。
ｅ．判断
　以上ａないしｄの通り、本願発明１の相違点１に係る構成については、当業者であっても、引用発明及び引用文献２〜５に記載された技術的事項に基づいて容易に想到できたものではない。
イ．小括
　上記「ア．相違点１について」の「ｅ．判断」に記載したとおりであるから、相違点２、３について判断するまでもなく、本願発明１は、当業者であっても、引用発明及び引用文献２〜５に記載された技術的事項に基づいて容易に発明できたものとはいえない。
２．本願発明２、３について
　本願発明２、３は、本願発明１を減縮した発明であるから、本願発明１と同じ理由により、当業者であっても、引用発明及び引用文献２ないし５に記載された技術的事項に基づいて容易に発明できたものとはいえない。
３．本願発明４について
　本願発明４は、本願発明１に対応する方法の発明であるから、本願発明１と同様の理由により、当業者であっても、引用発明及び引用文献２ないし５に記載された技術的事項に基づいて容易に発明できたものとはいえない。
第６　むすび
　以上のとおり、本願発明１ないし４は、当業者が引用発明及び引用文献２ないし５に記載された技術的事項に基づいて容易に発明をすることができたものではない。したがって、原査定の理由によっては、本願を拒絶することはできない。
　また、他に本願を拒絶すべき理由を発見しない。
　よって、結論のとおり審決する。